(57)【要約】【課題】発光素子を利用した発光装置の露光品質を向上させる。【解決手段】仮想線ＬｃのＡ側には、第１の発光ラインＬＥ１に属する発光素子Ｅ１のうち仮想線ＬｃのＡ側に配置された発光素子Ｅ１と第２の発光ラインＬＥに属する発光素子Ｅのうち仮想線ＬｃのＡ側に配置された発光素子Ｅ２とが１つずつ接続されて何れか一方に駆動電流を選択的に供給する第１の駆動部４０ａがＸ方向に沿って複数配置され、仮想線ＬｃのＢ側には、第１の発光ラインＬＥ１に属する発光素子Ｅ１のうち仮想線ＬｃのＢ側に配置された発光素子Ｅ１と第２の発光ラインＬＥに属する発光素子Ｅのうち仮想線ＬｃのＢ側に配置された発光素子Ｅ２とが１つずつ接続されて何れか一方に駆動電流を選択的に供給する第２の駆動部４０ｂがＸ方向に沿って複数配置される。【選択図】      図３
2009151975.tif 000002
【特許請求の範囲】
【請求項１】
第１方向とは異なる第２方向に間隔をあけて配置された第１の発光素子と第２の発光素子との対が、前記第１方向に沿って複数配置され、
前記複数の対のうち奇数番目の各々の対については、前記複数の対の各々における前記第１の発光素子と前記第２の発光素子との間を通って前記第１方向に延在する仮想線から見て前記第２方向における一方側に前記第１の発光素子が配置されるとともに、他方側に前記第２の発光素子が配置され、
前記複数の対のうち偶数番目の各々の対については、前記仮想線から見て前記第２方向における前記他方側に前記第１の発光素子が配置されるとともに、前記一方側に前記第２の発光素子が配置され、
前記仮想線から見て前記第２方向における前記一方側には、前記一方側に配置された前記第１の発光素子および前記第２の発光素子が１つずつ接続されて何れか一方に駆動電流を選択的に供給する第１の駆動部が前記第１方向に沿って複数配置され、
前記仮想線から見て前記第２方向における他方側には、前記他方側に配置された前記第１の発光素子および前記第２の発光素子が１つずつ接続されて何れか一方に駆動電流を選択的に供給する第２の駆動部が前記第１方向に沿って複数配置され、
前記複数の第１の駆動部の各々から前記第１の発光素子に駆動電流が供給されるとともに前記複数の第２の駆動部の各々から前記第１の発光素子に駆動電流が供給されると、前記複数の対の各々における前記第１の発光素子を含む第１の発光ラインが発光し、
前記複数の第１の駆動部の各々から前記第２の発光素子に駆動電流が供給されるとともに前記複数の第２の駆動部の各々から前記第２の発光素子に駆動電流が供給されると、前記複数の対の各々における前記第２の発光素子を含む第２の発光ラインが発光する
発光装置。
【請求項２】
請求項１に記載の発光装置であって、
前記第１方向に隣接する各対において、各発光素子の前記第２方向における位置は異なる
発光装置
【請求項３】
請求項２に記載の発光装置であって、
前記仮想線から見て前記第２方向における前記一方側においては、前記各第１の駆動部に接続された第１の発光素子および前記第２の発光素子のうち前記仮想線から遠い位置に配置された発光素子の面積は、他方の発光素子の面積より小さく、
前記仮想線から見て前記第２方向における前記他方側においては、前記各第２の駆動部に接続された第１の発光素子および前記第２の発光素子のうち前記仮想線から遠い位置に配置された発光素子の面積は、他方の発光素子の面積より小さい
発光装置。
【請求項４】
請求項１から請求項３の何れかに記載の発光装置であって、
前記第１方向に沿って配置されて前記各発光素子からの出射光を集光する複数のレンズを各々が含む第１のレンズ群および第２のレンズ群が前記第２方向に並列に配置され、
前記仮想線は、前記第１のレンズ群における各レンズの中心を通って前記第１方向に延びる第１の直線、および、前記第２のレンズ群における各レンズの中心を通って前記第１方向に延びる第２の直線、からの前記第２方向における距離が等しい直線であって、
前記複数の対の各々において、
前記仮想線と前記第１の発光素子との間の前記第２方向における距離と、前記仮想線と前記第２の発光素子との間の前記第２方向における距離と、は等しい
発光装置。
【請求項５】
請求項２または請求項３に記載の発光装置であって、
前記第１方向に沿って配置されて前記各発光素子からの出射光を集光する複数のレンズを各々が含む第１のレンズ群および第２のレンズ群が前記第２方向に並列に配置され、
前記仮想線は、前記第１のレンズ群における各レンズの中心を通って前記第１方向に延びる第１の直線、および、前記第２のレンズ群における各レンズの中心を通って前記第１方向に延びる第２の直線、からの前記第２方向における距離が等しい直線であって、
前記仮想線から見て前記第２方向における前記一方側においては、前記第１の発光素子が前記第２の発光素子よりも前記第１の直線に近い位置に配置され、
前記仮想線から見て前記第２方向における前記他方側においては、前記第１の発光素子が前記第２の発光素子よりも前記第２の直線に近い位置に配置される
発光装置。
【請求項６】
請求項１から請求項５の何れかの発光装置を備える電子機器。
【発明の詳細な説明】
【技術分野】
【０００１】
本発明は、発光素子を用いた発光装置および電子機器に関する。
【背景技術】
【０００２】
例えば電子写真方式の画像形成装置においては、感光体ドラムなどの像担持体に静電潜像を形成するための光ヘッドとして、複数の発光素子を基板上に配置した発光装置が用いられる。特許文献１には、複数の発光素子を主走査方向に沿って配置した発光ラインを複数行設け、実際に像担持体の露光に使用する発光ラインを所定の条件により変更するという技術が開示されている。
【特許文献１】特開２００５―９６２５９号公報
【発明の開示】
【発明が解決しようとする課題】
【０００３】
特許文献１においては、各発光ラインは複数の発光素子が主走査方向に配列する１行の素子群で構成される。発光ラインに属する各発光素子間には所定の間隔を確保する必要があるから、特許文献１の構成では各発光素子間の主走査方向の距離を当該間隔よりも縮小することはできない。従って、特許文献１の構成では、高い解像度が要求される場合に十分な画像を形成することが困難である。
以上の事情に鑑みて、本発明は、発光素子を用いた発光装置の露光品質を向上させるという課題の解決を目的としている。
【課題を解決するための手段】
【０００４】
以上の課題を解決するために、本発明に係る発光装置は、第１方向とは異なる第２方向に間隔（各対における第１の発光素子と第２の発光素子との間隔が各々等しくなるように設定される態様や、異なるように設定される態様も含む）をあけて配置された第１の発光素子と第２の発光素子との対が、前記第１方向に沿って複数配置され、複数の対のうち奇数番目の各々の対については、複数の対の各々における第１の発光素子と第２の発光素子との間を通って第１方向に延在する仮想線から見て第２方向における一方側に第１の発光素子が配置されるとともに、他方側に第２の発光素子が配置され、複数の対のうち偶数番目の各々の対については、仮想線から見て第２方向における他方側に第１の発光素子が配置されるとともに、一方側に第２の発光素子が配置され、仮想線から見て第２方向における一方側には、一方側に配置された第１の発光素子および第２の発光素子が１つずつ接続されて何れか一方に駆動電流を選択的に供給する第１の駆動部が第１方向に沿って複数配置され、仮想線から見て第２方向における他方側には、他方側に配置された第１の発光素子および第２の発光素子が１つずつ接続されて何れか一方に駆動電流を選択的に供給する第２の駆動部が第１方向に沿って複数配置され、複数の第１の駆動部の各々から第１の発光素子に駆動電流が供給されるとともに複数の第２の駆動部の各々から第１の発光素子に駆動電流が供給されると、複数の対の各々における第１の発光素子を含む第１の発光ラインが発光し、複数の第１の駆動部の各々から第２の発光素子に駆動電流が供給されるとともに複数の第２の駆動部の各々から第２の発光素子に駆動電流が供給されると、複数の対の各々における第２の発光素子を含む第２の発光ラインが発光する。
【０００５】
以上の態様によれば、仮想線から見て第２方向における他方側に配置された各発光素子は仮想線から見て第２方向における他方側に配置された第２の駆動部に接続されるので、仮想線から見て第２方向における一方側に配置された第１の駆動部から、仮想線から見て第２方向における他方側に配置された各発光素子へ配線する必要が無い。同様に、第２の駆動部から、仮想線から見て第２方向における一方側に配置された各発光素子へ配線する必要は無い。従って、各発光ラインに属する各発光素子間の第１方向における距離を縮小できるため、画像を高精細化できる。
【０００６】
本発明の好適な態様においては、第１方向に隣接する各対において、各発光素子の第２方向における位置は異なる。以上の態様によれば、隣接する各対において第１の発光素子の第２方向における位置と第２の発光素子の第２方向における位置とを揃えた態様に比べて各発光ラインに属する各発光素子間の第１方向における距離を縮小できる。従って、第１の発光ラインおよび第２の発光ラインからの出射光が像担持体に到達する領域（以下、「露光スポット」という）が高精細化される。
【０００７】
より具体的には、仮想線から見て第２方向における一方側においては、各第１の駆動部に接続された第１の発光素子および第２の発光素子のうち仮想線から遠い位置に配置された発光素子の発光は、他方の発光素子の面積より小さく、仮想線から見て第２方向における他方側においては、各第２の駆動部に接続された第１の発光素子および第２の発光素子のうち仮想線から遠い位置に配置された発光素子の面積は、他方の発光素子の発光面積より小さい。
【０００８】
以上の態様によれば、仮想線から離れた位置に配置された発光素子の発光面積が小さく設定されることにより、第１の駆動部から仮想線に近い位置に配置された各発光素子へ延びる配線を通すためのスペースを仮想線から離れた位置に配置された各発光素子間に十分に確保できる。同様に、第２の駆動部から仮想線に近い位置に配置された各発光素子へ延びる配線を通すためのスペースを仮想線から離れた位置に配置された各発光素子間に十分に確保できる。
【０００９】
本発明の好適な態様においては、第１方向に沿って配置されて各発光素子からの出射光を集光する複数のレンズを各々が含む第１のレンズ群および第２のレンズ群が第２方向に並列に配置され、仮想線は、第１のレンズ群における各レンズの中心を通って第１方向に延びる第１の直線、および、第２のレンズ群における各レンズの中心を通って第１方向に延びる第２の直線、からの第２方向における距離が等しい直線であって、複数の対の各々において、仮想線と第１の発光素子との間の第２方向における距離と、仮想線と第２の発光素子との間の第２方向における距離と、は等しい。
【００１０】
また、複数の対の各々において、仮想線と第１の発光素子との間の第２方向における距離と、仮想線と第２の発光素子との間の第２方向における距離と、が等しくない態様であっても、各第１の発光素子および各第２の発光素子をそれぞれ第２方向に分散して配置することによって、第１の発光ラインによる各露光スポットの形態と、第２の発光ラインによる各露光スポットの形態と、を均一化できる。また、例えば第１の発光ラインに属する各々の第１の発光素子と仮想線との間の第２方向における距離の総和と、第２の発光ラインに属する各々の第２の発光素子と仮想線との間の第２方向における距離の総和とを等しく設定することもできる。
【００１１】
以上の態様によれば第１の発光ラインによる各露光スポットの形態と、第２の発光ラインによる各露光スポットの形態と、を均一化できる。これによって、第１の発光ラインが発光する場合と第２の発光ラインが発光する場合とで露光品質がばらつくことを抑制できる。
【００１２】
また、仮想線から見て第２方向における一方側においては、第１の発光素子が第２の発光素子よりも第１の直線に近い位置に配置され、仮想線から見て第２方向における他方側においては、第１の発光素子が第２の発光素子よりも第２の直線に近い位置に配置されるという態様とすることもできる。
【００１３】
以上の態様によれば、第１の発光ラインに属する各発光素子（第１の発光素子）は、第２の発光ラインに属する各発光素子（第２の発光素子）よりもレンズの中心線に近い位置に配置されるから、第１の発光ラインによる各露光スポットは、第２の発光ラインによる各露光スポットに比べて整った形状（正円形）となる。従って、第１の発光ラインを使用する場合には、像担持体の露光面に形成される各露光スポットを均一に整った形状としつつ画像（潜像）を高精細化できる。この態様においては、高い解像度が要求されるモードの場合は第１の発光ラインを使用し、高い解像度が要求されないモードの場合は第２の発光ラインを使用することが好適である。
【００１４】
次に、本発明に係る電子機器は、以上に例示した各態様に係る発光装置を備える。本発明に係る発光装置は各種の電子機器に利用される。本発明に係る電子機器の典型例は、以上の各態様に係る発光装置を感光体ドラムなどの像担持体の露光に利用した電子写真方式の画像形成装置である。画像形成装置は、露光によって潜像が形成される像担持体と、像担持体を露光する本発明の発光装置と、像担持体の潜像に対する現像材（例えばトナー）の付加によって顕像を形成する現像器とを含む。
【発明を実施するための最良の形態】
【００１５】
＜Ａ：第１実施形態＞
図１は、本発明の第１実施形態に係る発光装置を露光装置（光ヘッド）として利用した画像形成装置の部分的な構成を示す斜視図である。同図に示すように、画像形成装置は発光装置１０と集光性レンズアレイ１１と感光体ドラム（像担持体）１２とを含む。発光装置１０は、基板１３の表面に直線状に配列された多数の発光素子（図１においては図示略）を含む。これらの発光素子は、用紙などの記録材に印刷されるべき画像の態様に応じて選択的に発光する。感光体ドラム１２は、Ｘ方向（主走査方向）に延在する回転軸に支持され、外周面を発光装置１０に対向させた状態でＹ方向（記録材が搬送される副走査方向）に回転する。
【００１６】
集光性レンズアレイ１１は発光装置１０と感光体ドラム１２との間隙に配置される。発光装置１０の各発光素子からの出射光は集光性レンズアレイ１１の各レンズを透過したうえで感光体ドラム１２の表面に到達する。この露光によって感光体ドラム１２の表面には所望の画像に応じた潜像（静電潜像）が形成される。
【００１７】
図２は、発光装置１０の平面図である。同図にて斜線が付された小円は各発光素子Ｅの外形を示す。図２に示すように、発光装置１０は発光部２０と駆動回路３０とを具備する。発光部２０は、Ｙ方向に並列に配置された２行の素子群Ｇ（Ｇ１，Ｇ２）を含む。素子群Ｇ１は、Ｘ方向に延在する直線Ｌａ１上に各々の中心が位置するようにピッチＰａで配置されたｎ個の発光素子Ｅの集合である。素子群Ｇ２は、直線Ｌａ１に平行な直線Ｌａ２上に各々の中心が位置するようにピッチＰａで配置されたｎ個の発光素子Ｅの集合である。本形態では、素子群Ｇ１に属する各発光素子Ｅと素子群Ｇ２に属する各発光素子ＥとのＸ方向における位置は同じである。図２に示す直線Ｌｃは、直線Ｌａ１および直線Ｌａ２からのＹ方向における距離Ｄ（Ｄ１,Ｄ２）が等しい仮想線である。図２に示すように、仮想線Ｌｃから見てＹ方向における一方側（Ｙ方向の負側である。以下では図２のように「Ａ側」という。）に素子群Ｇ１の各発光素子Ｅが配置され、他方側（Ｙ方向の正側である。以下では図２のように「Ｂ側」という。）に素子群Ｇ２の各発光素子Ｅが配置される。発光素子Ｅは、陽極と陰極との間に有機ＥＬ材料の発光層を介在させた有機ＥＬ素子である。
【００１８】
駆動回路３０は、素子群Ｇ１に属する各発光素子Ｅを駆動する第１の駆動回路３０ａと、素子群Ｇ２に属する各発光素子Ｅを駆動する第２の駆動回路３０ｂとを含む。図２に示すように、第１の駆動回路３０ａは仮想線ＬｃのＡ側に配置され、第２の駆動回路３０ｂは仮想線ＬｃのＢ側に配置される。第１の駆動回路３０ａは、第１の制御回路３２ａと複数の第１の駆動部４０ａとを具備する。第２の駆動回路３０ｂは、第２の制御回路３２ｂと複数の第２の駆動部４０ｂとを具備する。なお、第１の駆動回路３０ａおよび第２の駆動回路３０ｂが基板１３に対して外付けされた構成も採用できる。
【００１９】
図３は、第１の駆動部４０ａと素子群Ｇ１の各発光素子Ｅとの接続関係、および、第２の駆動部４０ｂと素子群Ｇ２の各発光素子Ｅとの接続関係を簡略化して示した平面図である。図３に示すように、仮想線ＬｃのＡ側には、素子群Ｇ１に属する発光素子Ｅが２個ずつ接続されて何れか一方の発光素子Ｅに駆動電流を選択的に供給する第１の駆動部４０ａがＸ方向に沿って複数（ｎ／２個）配置される。仮想線ＬｃのＢ側には、素子群Ｇ２に属する発光素子Ｅが２個ずつ接続されて何れか一方の発光素子Ｅに駆動電流を選択的に供給する第２の駆動部４０ｂがＸ方向に沿って複数（ｎ／２個）配置される。
【００２０】
ここで、図３に示すように、Ｙ方向に間隔をあけて配置された２つの発光素子Ｅを１つの対Ｐとして捉える。すなわち、素子群Ｇ１の発光素子Ｅと素子群Ｇ２の発光素子Ｅとで１つの対Ｐを構成する。図３に示すように、ｎ個の対ＰがＸ方向に沿って配置される。そして、ｎ個の対Ｐのうち奇数番目の各々の対Ｐにおいて仮想線ＬｃのＡ側に配置された発光素子Ｅ１と、偶数番目の各々の対ＰにおいてＢ側に配置された発光素子Ｅ１と、で第１の発光ラインＬＥ１を構成する。説明の便宜上、図３において、第１の発光ラインＬＥ１に属する各発光素子Ｅ１を斜線を付した丸で示す。また、ｎ個の対Ｐのうち奇数番目の各々の対ＰにおいてＢ側に配置された発光素子Ｅ２と、偶数番目の各々の対ＰにおいてＡ側に配置された発光素子Ｅ２と、で第２の発光ラインＬＥ２を構成する。説明の便宜上、図３において、第２の発光ラインに属する各発光素子Ｅ２を白丸で示す。
【００２１】
図３に示すように、各第１の駆動部４０ａには、素子群Ｇ１の各発光素子ＥのうちＸ方向に隣接する２個の発光素子Ｅが接続される。更に詳述すると、各第１の駆動部４０ａには、第１の発光ラインＬＥ１に属するｎ個の発光素子Ｅ１のうち仮想線ＬｃのＡ側に配置された発光素子Ｅ１と第２の発光ラインＬＥ２に属するｎ個の発光素子Ｅ２のうち仮想線ＬｃのＡ側に配置された発光素子Ｅ２とが１個ずつ接続される。また、各第２の駆動部４０ｂには、素子群Ｇ２の各発光素子ＥのうちＸ方向に隣接する２個の発光素子Ｅが接続される。更に詳述すると、各第２の駆動部４０ｂには、第１の発光ラインＬＥ１に属するｎ個の発光素子Ｅ１のうち仮想線ＬｃのＢ側に配置された発光素子Ｅ１と第２の発光ラインＬＥ２に属するｎ個の発光素子Ｅ２のうち仮想線ＬｃのＢ側に配置された発光素子Ｅ２とが１個ずつ接続される。第１の発光ラインＬＥ１および第２の発光ラインＬＥ２のうち何れかの発光ラインＬＥに属する各発光素子Ｅは、各駆動部４０によって選択的に駆動される。
【００２２】
図４は、第１の駆動回路３０ａの回路図である。第１の駆動回路３０ａおよび第２の駆動回路３０ｂは同様の構成であり、ここでは第１の駆動回路３０ａを例にしてその構成について説明する。図４に示すように、第１の駆動回路３０ａは、第１の制御回路３２ａとｎ／２個の第１の駆動部４０ａとインバータＩＮＶとを具備する。各第１の駆動部４０ａは、制御用トランジスタＴｒ１と、駆動トランジスタＴｒ２と、切替用トランジスタＴｒ３およびＴｒ４と、を含む。図３にも示したように、各第１の駆動部４０ａには、第１の発光ラインＬＥ１に属するｎ個の発光素子Ｅ１のうち仮想線ＬｃのＡ側に配置された発光素子Ｅ１と第２の発光ラインＬＥ２に属するｎ個の発光素子Ｅ２のうち仮想線ＬｃのＡ側に配置された発光素子Ｅ１とが１個ずつ接続される。図４に示すように、第１の発光ラインＬＥ１の発光素子Ｅ１は、電源電位ＶＤＤが供給される高位側電源線５０と第１の低位側電源線６０との間に配置される。第２の発光ラインＬＥ２の発光素子Ｅ２は、高位側電源線５０と第２の低位側電源線７０との間に配置される。第１の低位側電源線６０と第２の低位側電源線７０との各々には、接地電位ＶＣＣが共通に供給される。
【００２３】
制御用トランジスタＴｒ１は、階調データ（発光素子Ｅの階調を指定するデータ）に応じた電位を駆動トランジスタＴｒ２へ供給するか否かを制御するＮチャネル型のトランジスタである。制御用トランジスタＴｒ１のゲートおよびドレインは制御回路３２に接続される。駆動トランジスタＴｒ２は、ゲート・ソース間電圧に応じた駆動電流を生成して切替用トランジスタＴｒ３またはＴｒ４へ供給するＰチャネル型のトランジスタである。駆動トランジスタＴｒ２のソースは高位側電源線５０と接続され、そのゲートは制御用トランジスタＴｒ１のドレインと接続される。
【００２４】
切替用トランジスタＴｒ３およびＴｒ４は、駆動電流が供給される発光素子Ｅを切り替えるＮチャネル型のトランジスタである。各々のドレインは駆動トランジスタＴｒ２のドレイン側と接続される。切替用トランジスタＴｒ３は、駆動トランジスタＴｒ２と第１の発光ラインＬＥ１の発光素子Ｅ１の陽極との間に介在して両者の電気的な接続（導通／非導通）を制御する。切替用トランジスタＴｒ３のゲートは第１の選択信号線１００に接続される。第１の選択信号線１００には、図示しないコントロールユニットから選択信号ＳＥＬ１が供給される。選択信号ＳＥＬがハイレベルの場合は切替用トランジスタＴｒ３はオン状態となり、ローレベルの場合はオフ状態となる。
【００２５】
切替用トランジスタＴｒ４は、駆動トランジスタＴｒ２と第２の発光ラインＬＥ２の発光素子Ｅ２の陽極との間に介在して両者の電気的な接続（導通／非導通）を制御する。切替用トランジスタＴｒ４のゲートは第２の選択信号線２００に接続される。図３に示すように、第１の選択信号線１００と第２の選択信号線２００との間にはインバータＩＮＶが配置される。インバータＩＮＶは、選択信号ＳＥＬ１を反転した選択信号ＳＥＬ２を第２の選択信号線２００に供給する。選択信号ＳＥＬ２がハイレベルの場合は切替用トランジスタＴｒ４はオン状態となり、ローレベルの場合は切替用トランジスタＴｒ４はオフ状態となる。なお、選択信号ＳＥＬ１とは独立に生成された選択信号ＳＥＬ２を外部のコントロールユニットから第２の選択信号線２００に供給することも可能であり、この場合はインバータＩＮＶは不要となる。
【００２６】
いま、第１の発光ラインＬＥ１の各発光素子Ｅ１を発光させる場合、選択信号ＳＥＬ１はハイレベルに設定される。従って、切替用トランジスタＴｒ３はオン状態となり、切替用トランジスタＴｒ４はオフ状態となる。この状態で、第１の制御回路３２ａからの信号が制御用トランジスタＴｒ１のゲートに供給されて制御用トランジスタＴｒ１がオン状態となり、各発光素子Ｅ１の階調データに応じた電位が駆動トランジスタＴｒ２のゲートに供給される。駆動トランジスタＴｒ２では、そのゲート・ソース間電圧に応じた駆動電流が生成され、切替用トランジスタＴｒ３を介して各発光素子Ｅ１に供給される。切替用トランジスタＴｒ４はオフ状態であるため、駆動トランジスタＴｒ２で生成された駆動電流は各発光素子Ｅ２には供給されない。第２の駆動部４０ｂも同様に動作して、第１の発光ラインＬＥ１に属するｎ個の発光素子Ｅ１のうち仮想線ＬｃのＢ側に配置された各発光素子Ｅ１に駆動電流が供給される。これによって、第１の発光ラインＬＥ１に属するｎ個の発光素子Ｅ１が発光する。第２の発光ラインＬＥ２の各発光素子Ｅ２を発光させる場合は、上記とは逆に選択信号ＳＥＬ２がハイレベルとなり、切替用トランジスタＴｒ４がオン状態となる。従って、駆動トランジスタＴｒ２で生成された駆動電流は、切替用トランジスタＴｒ４を介して第２の発光ラインＬＥ２の各発光素子Ｅ２に供給される。これによって、第２の発光ラインＬＥ２が発光する。以上のように、第１の発光ラインＬＥ１と第２の発光ラインＬＥ２とが選択的に動作するから、各発光ラインＬＥに属する各発光素子Ｅの高寿命化が図られる。
【００２７】
図５は、複数の駆動部４０がＡ側のみに配置される態様（以下、「対比例１」という）を示す図である。図５に示すように、対比例１においては、素子群Ｇ１に属する発光素子Ｅおよび素子群Ｇ２に属する発光素子Ｅのうち何れか一方に駆動電流を選択的に供給するｎ個の駆動部４０を備え、各駆動部４０はＸ方向に沿って配置される。その他の構成は、本実施形態と同様である。
【００２８】
画像の高精細化を図るためには、各発光ラインＬＥにおける各発光素子Ｅ間のＸ方向における距離は小さいことが好ましいところ、対比例１においては、図５に示すように、素子群Ｇ１の各発光素子Ｅ間には、各駆動部４０から素子群Ｇ２の各発光素子Ｅへ延びる配線Ｃ１が存在するため、素子群Ｇ１の各発光素子Ｅ間には、配線Ｃ１を通すためのスペースを確保する必要がある。複数の駆動部４０を仮想線ＬｃのＢ側のみに配置した場合も同様であり、素子群Ｇ２の各発光素子Ｅ間には、配線Ｃを通すためのスペースを確保する必要がある。
【００２９】
これに対して、本実施形態においては、図３に示すように、仮想線ＬｃのＢ側に配置された素子群Ｇ２の各発光素子Ｅは、仮想線ＬｃのＢ側に配置された第２の駆動部４０ｂに接続されるから、仮想線ＬｃのＡ側に配置された第１の駆動部４０ａから素子群Ｇ２の各発光素子Ｅへ配線する必要は無い。従って、素子群Ｇ１に属する各発光素子Ｅ間のＸ方向における距離を対比例に比べて小さくできる。また、仮想線ＬｃのＡ側に配置された素子群Ｇ１の各発光素子Ｅは、仮想線ＬｃのＡ側に配置された第１の駆動部４０ａに接続されるから、仮想線ＬｃのＢ側に配置された第２の駆動部４０ｂから素子群Ｇ１の各発光素子Ｅへ配線する必要は無い。従って、素子群Ｇ２に属する各発光素子Ｅ間のＸ方向における距離を、仮想線ＬｃのＢ側のみに複数の駆動部４０を配置した場合に比べて小さくできる。すなわち、本実施形態の構成によれば、仮想線Ｌｃから見てＹ方向における何れか一方側のみに複数の駆動部４０が配置される態様に比べて、第１の発光ラインＬＥ１に属する各発光素子Ｅ１間のＸ方向における距離、および、第２の発光ラインＬＥ２に属する各発光素子Ｅ２間のＸ方向における距離を小さくできるから、画像を高精細化できる。
【００３０】
＜Ｂ：第２実施形態＞
図６は、本実施形態に係る発光装置１０の平面図である。図６に示すように、本実施形態においては、発光部２０は、Ｙ方向に並列に配置された４行の素子群Ｇ（Ｇ１，Ｇ２，Ｇ３，Ｇ４）を含む。
【００３１】
図６に示すように、素子群Ｇ３は、素子群Ｇ１と同様、仮想線ＬｃのＡ側に配置される。素子群Ｇ３は、Ｘ方向に延在する直線Ｌａ３に各々の中心が位置するようにピッチＰａで配置されたｎ個の発光素子Ｅの集合である。また、素子群Ｇ４は、素子群Ｇ２と同様、仮想線ＬｃのＢ側に配置される。素子群Ｇ４は、Ｘ方向に延在する直線Ｌａ４に各々の中心が位置するようにピッチＰａで配置されたｎ個の発光素子Ｅの集合である。
【００３２】
図６に示すように、素子群Ｇ１に属する各発光素子Ｅと素子群Ｇ４に属する各発光素子Ｅとは、Ｘ方向に異なる位置に配置される。さらに詳述すると、素子群Ｇ１と素子群Ｇ４とが、Ｘ方向にＰａ／２だけズレた位置に配置される。すなわち、図６に示すように、素子群Ｇ１および素子群Ｇ４に属する各発光素子Ｅは、２行の千鳥状に配置される。また、図６に示すように、素子群Ｇ２に属する各発光素子Ｅと素子群Ｇ３に属する各発光素子Ｅとは、Ｘ方向に異なる位置に配置される。さらに詳述すると、素子群Ｇ２と素子群Ｇ３とが、Ｘ方向にＰａ／２だけズレた位置に配置される。すなわち、図６に示すように、素子群Ｇ２および素子群Ｇ３に属する各発光素子Ｅは、２行の千鳥状に配置される。また、素子群Ｇ１に属する各発光素子Ｅと素子群Ｇ２に属する各発光素子ＥとのＸ方向における位置は同じであり、同様に、素子群Ｇ３に属する各発光素子Ｅと素子群Ｇ４に属する各発光素子ＥとのＸ方向における位置は同じである。
【００３３】
図６に示すように、仮想線Ｌｃと素子群Ｇ３に属する発光素子ＥとのＹ方向における距離Ｄ３は、仮想線Ｌｃと素子群Ｇ４に属する発光素子ＥとのＹ方向における距離Ｄ４と等しく、距離Ｄ１および距離Ｄ２とは異なる。本形態では、素子群Ｇ１と素子群Ｇ２との間に素子群Ｇ３と素子群Ｇ４とが位置する（Ｄ１＝Ｄ２＞Ｄ３＝Ｄ４）。
【００３４】
図６に示すように、仮想線ＬｃのＡ側には、素子群Ｇ１の発光素子Ｅおよび素子群Ｇ３の発光素子Ｅの何れかに駆動電流を選択的に供給するｎ個の第１の駆動部４０ａがＸ方向に沿って設けられる。各々の第１の駆動部４０ａには、素子群Ｇ１の発光素子Ｅおよび素子群Ｇ３の発光素子Ｅが１つずつ接続される。仮想線ＬｃのＢ側には、素子群Ｇ２の発光素子Ｅおよび素子群Ｇ４の発光素子Ｅの何れかに駆動電流を選択的に供給するｎ個の第２の駆動部４０ｂがＸ方向に沿って設けられる。各々の第２の駆動部４０ｂには、素子群Ｇ２の発光素子Ｅおよび素子群Ｇ４の発光素子Ｅが１つずつ接続される。
【００３５】
図６に示すように、素子群Ｇ１の発光素子Ｅと素子群Ｇ２の発光素子Ｅとで１つの対Ｐを構成するとともに、素子群Ｇ３の発光素子Ｅと素子群Ｇ４の発光素子Ｅとで１つの対Ｐを構成し、ｎ個の対ＰがＸ方向に沿って配置される。第１実施形態と同様に、ｎ個の対Ｐのうち奇数番目の各々の対Ｐにおいて仮想線ＬｃのＡ側に配置された発光素子Ｅ１と、偶数番目の各々の対Ｐにおいて仮想線ＬｃのＢ側に配置された発光素子Ｅ１と、で第１の発光ラインＬＥ１を構成する。図６において、第１の発光ラインＬＥ１に属する各発光素子Ｅ１を斜線を付した丸で示す。図６に示すように、本形態では素子群Ｇ１と素子群Ｇ４とで第１の発光ラインＬＥ１（２ｎ個の発光素子Ｅ１の集合）が構成される。また、ｎ個の対Ｐのうち奇数番目の各々の対Ｐにおいて仮想線ＬｃのＢ側に配置された発光素子Ｅ２と、偶数番目の各々の対Ｐにおいて仮想線ＬｃのＡ側に配置された発光素子Ｅ２と、で第２の発光ラインＬＥ２を構成する。図６において、第２の発光ラインＬＥ２に属する各発光素子Ｅ２を白丸で示す。図６に示すように、本形態では素子群Ｇ２と素子群Ｇ３とで第２の発光ラインＬＥ２（２ｎ個の発光素子Ｅ２の集合）が構成される。また、図６に示すように、Ｘ方向に隣接する各対Ｐにおいては、各発光素子ＥのＹ方向における位置は異なるとともに、第１の発光ラインＬＥ１の発光素子Ｅ１と第２の発光ラインＬＥ２の発光素子Ｅ２との間のＹ方向における間隔Ｍも異なる。本形態においては、奇数番目の各々の対Ｐにおける間隔ＭはＤ１＋Ｄ２であり、偶数番目の各々の対Ｐにおける間隔ＭはＤ３＋Ｄ４である。
【００３６】
第１の発光ラインＬＥ１および第２の発光ラインＬＥ２のうち何れかの発光ラインＬＥに属する各発光素子Ｅは、各駆動部４０によって選択的に駆動される。さらに詳述すると、第１の発光ラインＬＥ１を使用して露光すべき場合は、素子群Ｇ１の発光素子Ｅ１には第１の駆動部４０ａから駆動電流が供給されるとともに、素子群Ｇ４の発光素子Ｅ１には第２の駆動部４０ｂから駆動電流が供給される。一方、第２の発光ラインＬＥ２を使用して露光すべき場合は、素子群Ｇ３の発光素子Ｅ２には第１の駆動部４０ａから駆動電流が供給され、素子群Ｇ２の発光素子Ｅ２には第２駆動部４０ｂから駆動電流が供給される。
【００３７】
いま、複数の駆動部４０が仮想線ＬｃのＡ側のみに設けられる態様（以下、「対比例２」とする）を想定する。図７に示すように、対比例２においては、素子群Ｇ１に属する素子Ｅおよび素子群Ｇ２に属する素子Ｅの何れか一方に選択的に駆動電流を供給するｎ個の第１の駆動部４０ａと、素子群Ｇ３に属する素子Ｅおよび素子群Ｇ４に属する素子Ｅの何れか一方に選択的に駆動電流を供給するｎ個の第２の駆動部４０ｂと、を備え、第１の駆動部４０ａと第２の駆動部４０ｂとはＸ方向に沿って交互に配置される。その他の構成は、本実施形態と同様である。
【００３８】
対比例２においては、図７に示すように、素子群Ｇ１の発光素子Ｅ１と素子群Ｇ４の発光素子Ｅ１との間には、第１の駆動部４０ａから素子群Ｇ２の発光素子Ｅ２へ延びる配線Ｃ２、または、第２の駆動部４０ｂから素子群Ｇ４の発光素子Ｅ１へ延びる配線Ｃ３が存在するため、素子群Ｇ１の発光素子Ｅ１と素子群Ｇ４の発光素子Ｅ１との間には、配線Ｃ２または配線Ｃ３を通すためのスペースを確保する必要がある。同様に、素子群Ｇ２の発光素子Ｅ２と素子群Ｇ３の発光素子Ｅ２との間にも配線Ｃ２または配線Ｃ３を通すためのスペースを確保する必要がある。
【００３９】
これに対して、本実施形態においては、図６に示すように、素子群Ｇ２の発光素子Ｅ２および素子群Ｇ４の発光素子Ｅ１は、仮想線ＬｃのＢ側に配置された第２の駆動部４０ｂに接続されるから、仮想線ＬｃのＡ側に配置された第１の駆動部４０ａから素子群Ｇ２の発光素子Ｅ２および素子群Ｇ４の発光素子Ｅ１へ配線する必要は無い。従って、第１の発光ラインＬＥ１に属する各発光素子Ｅ１間のＸ方向における距離（素子群Ｇ１の発光素子Ｅ１と素子群Ｇ４の発光素子Ｅ１との間のＸ方向における距離）および第２の発光ラインＬＥ２に属する各発光素子Ｅ２間のＸ方向における距離（素子群Ｇ２の発光素子Ｅ２と素子群Ｇ３の発光素子Ｅ２との間のＸ方向における距離）を対比例２に比べて小さくできる。すなわち、本実施形態の構成によれば、画像の高精細化を図ることができる。
【００４０】
また、本形態においては、第１の発光ラインＬＥ１および第２の発光ラインＬＥ２の各々に属する各発光素子Ｅは、それぞれ２行の千鳥状に配置されるから、各発光ラインＬＥにおいて互いにＸ方向に隣り合う各発光素子ＥのＸ方向における距離（Ｐａ／２）は、１つの発光ラインＬＥの複数の発光素子ＥがピッチＰａで１行のみに配列する構成（例えば図２に示す第１実施形態の構成）に比べて小さくできる。従って、本形態の構成によれば、発光装置１０が像担持体に形成する画像（潜像）を第１実施形態の構成に比べて高精細化できるという利点がある。
【００４１】
＜Ｃ：第３実施形態＞
図８は、本実施形態に係る発光装置１０の平面図である。上述の第２実施形態と同様に、発光部２０は、Ｙ方向に並列に配置された４行の素子群Ｇ（Ｇ１，Ｇ２，Ｇ３，Ｇ４）を含む。図８に示すように、素子群Ｇ１に属する各発光素子Ｅと素子群Ｇ２に属する各発光素子Ｅとは、Ｘ方向にＰａ／２だけズレた位置に配置される。また、図８に示すように、素子群Ｇ３に属する各発光素子Ｅと素子群Ｇ４に属する各発光素子Ｅとは、Ｘ方向にＰａ／２だけズレた位置に配置される。また、素子群Ｇ１に属する各発光素子Ｅと素子群Ｇ４に属する各発光素子ＥとのＸ方向における位置は同じであり、同様に、素子群Ｇ２に属する各発光素子Ｅと素子群Ｇ３に属する各発光素子ＥとのＸ方向における位置は同じである。なお、各駆動部４０と各発光素子Ｅとの接続態様は第２実施形態の構成と同じである。
【００４２】
図８に示すように、素子群Ｇ１の発光素子Ｅと素子群Ｇ４の発光素子Ｅとで１つの対Ｐを構成するとともに、素子群Ｇ２の発光素子Ｅと素子群Ｇ３の発光素子Ｅとで１つの対Ｐを構成し、ｎ個の対ＰがＸ方向に沿って配置される。上述の各実施形態と同様に、ｎ個の対Ｐのうち奇数番目の各々の対Ｐにおいて仮想線ＬｃのＡ側に配置された発光素子Ｅ１と、偶数番目の各々の対Ｐにおいて仮想線ＬｃのＢ側に配置された発光素子Ｅ１と、で第１の発光ラインＬＥ１を構成する。図８に示すように、本形態では素子群Ｇ１と素子群Ｇ２とで第１の発光ラインＬＥ１（２ｎ個の発光素子Ｅ１の集合）が構成される。また、ｎ個の対Ｐのうち奇数番目の各々の対Ｐにおいて仮想線ＬｃのＢ側に配置された発光素子Ｅ２と、偶数番目の各々の対Ｐにおいて仮想線ＬｃのＡ側に配置された発光素子Ｅ２と、で第２の発光ラインＬＥ２を構成する。図８に示すように、本形態では素子群Ｇ３と素子群Ｇ４とで第２の発光ラインＬＥ２（２ｎ個の発光素子Ｅ２の集合）が構成される。また、図８に示すように、Ｘ方向に隣接する各対Ｐにおいては、各発光素子ＥのＹ方向における位置は異なり、第１の発光ラインＬＥ１の発光素子Ｅ１と第２の発光ラインＬＥ２の発光素子Ｅ２との間のＹ方向における間隔Ｍは等しい（Ｄ１＋Ｄ４またはＤ２＋Ｄ３）。
【００４３】
素子群Ｇ１と素子群Ｇ２とを含む第１の発光ラインＬＥ１および素子群Ｇ３と素子群Ｇ４とを含む第２の発光ラインＬＥ２のうち何れかの発光ラインＬＥに属する各発光素子Ｅは、各駆動部４０によって選択的に駆動される。さらに詳述すると、第１の発光ラインＬＥ１を使用して露光すべき場合は、素子群Ｇ１の発光素子Ｅ１には第１の駆動部４０ａから駆動電流が供給されるとともに、素子群Ｇ２の発光素子Ｅ１には第２の駆動部４０ｂから駆動電流が供給される。一方、第２の発光ラインＬＥ２を使用して露光すべき場合は、素子群Ｇ３の発光素子Ｅ２には第１の駆動部４０ａから駆動電流が供給され、素子群Ｇ４の発光素子Ｅ２には第２の駆動部４０ｂから駆動電流が供給される。
【００４４】
図８に示すように、仮想線ＬｃのＢ側に配置された素子群Ｇ２の発光素子Ｅ１および素子群Ｇ４の発光素子Ｅ２は、仮想線ＬｃのＢ側に配置された第２の駆動部４０ｂに接続されるから、仮想線ＬｃのＡ側に配置された第１の駆動部４０ａから素子群Ｇ２の発光素子Ｅおよび素子群Ｇ４の発光素子Ｅへ配線する必要は無い。同様に、仮想線ＬｃのＡ側に配置された素子群Ｇ１の発光素子Ｅ１および素子群Ｇ３の素子群の発光素子Ｅ２は、仮想線ＬｃのＡ側に配置された第１の駆動部４０ａに接続されるから、仮想線ＬｃのＢ側に配置された第２の駆動部４０ｂから素子群Ｇ１の発光素子Ｅ１および素子群Ｇ３の発光素子Ｅ２へ配線する必要は無い。従って、各発光ラインＬＥに属する各発光素子Ｅ間のＸ方向における距離を、仮想線Ｌｃから見てＹ方向における何れか一方側のみに複数の駆動部４０を配置する態様に比べて小さくできる。
【００４５】
＜Ｄ：第４実施形態＞
図９は、本実施形態に係る発光装置１０の平面図である。本実施形態において、発光部２０は、Ｘ方向に交差するＹ方向（副走査方向）に並列に配置された６行の素子群Ｇ（Ｇ１，Ｇ２，Ｇ３，Ｇ４，Ｇ５，Ｇ６）を含む。
【００４６】
仮想線ＬｃのＡ側には、素子群Ｇ１と素子群Ｇ３と素子群Ｇ５とが配置される。素子群Ｇ１に属する各発光素子Ｅと素子群Ｇ３に属する各発光素子Ｅと素子群Ｇ５に属する各発光素子ＥとはＸ方向において異なる位置に配置される。また、仮想線ＬｃのＡ側には、接続された発光素子Ｅのうちの何れかの発光素子Ｅに駆動電流を選択的に供給する第１の駆動部４０ａがＸ方向に沿って複数配置される。さらに詳述すると、第（３ｋ＋１）番目の第１の駆動部４０ａには、素子群Ｇ１の発光素子Ｅと素子群Ｇ３の発光素子Ｅとが１つずつ接続される（ｋ＝１,２,・・・,ｊ）。第（３ｋ＋２）番目の第１の駆動部４０ａには、素子群Ｇ５の発光素子Ｅと素子群Ｇ１の発光素子Ｅとが１つずつ接続される。第（３ｋ＋３）番目の第１の駆動部４０ａには、素子群Ｇ３の発光素子Ｅと素子群Ｇ５の発光素子Ｅとが１つずつ接続される。
【００４７】
仮想線ＬｃのＢ側には、素子群Ｇ２と素子群Ｇ４と素子群Ｇ６とが配置される。素子群Ｇ２に属する各発光素子Ｅと素子群Ｇ４に属する各発光素子Ｅと素子群Ｇ６に属する各発光素子ＥとはＸ方向において異なる位置に配置される。また、仮想線ＬｃのＢ側には、接続された発光素子Ｅのうちの何れかの発光素子Ｅに駆動電流を選択的に供給する第２の駆動部４０ｂがＸ方向に沿って複数配置される。さらに詳述すると、第（３ｋ＋１）番目の第２の駆動部４０ｂには、素子群Ｇ６の発光素子Ｅと素子群Ｇ４の発光素子Ｅとが１つずつ接続される（ｋ＝１,２,・・・,ｊ）。第（３ｋ＋２）番目の第２の駆動部４０ｂには、素子群Ｇ２の発光素子Ｅと素子群Ｇ６の発光素子Ｅとが１つずつ接続される。第（３ｋ＋３）番目の第２の駆動部４０ｂには、素子群Ｇ４の発光素子Ｅと素子群Ｇ２の発光素子Ｅとが１つずつ接続される。
【００４８】
図９に示すように、本形態では、素子群Ｇ１の発光素子Ｅと素子群Ｇ６の発光素子Ｅとで１つの対Ｐを構成し、素子群Ｇ３の発光素子Ｅと素子群Ｇ４の発光素子Ｅとで１つの対Ｐを構成し、素子群Ｇ５の発光素子Ｅと素子群Ｇ２の発光素子Ｅとで１つの対Ｐを構成するという具合に各対Ｐが構成される。上述の各実施形態と同様に、複数の対ＰはＸ方向に沿って配置される。そして、複数の対Ｐのうち奇数番目の各々の対Ｐにおいて仮想線ＬｃのＡ側に配置された発光素子Ｅ１と、偶数番目の各々の対Ｐにおいて仮想線Ｌｃから見てＢ側に配置された発光素子Ｅ１と、で第１の発光ラインＬＥ１を構成する。図９において第１の発光ラインＬＥ１に属する各発光素子Ｅ１を斜線で示す。また、複数の対Ｐのうち奇数番目の各々の対Ｐにおいて仮想線ＬｃのＢ側に配置された発光素子Ｅ２と、偶数番目の各々の対Ｐにおいて仮想線ＬｃのＡ側に配置された発光素子Ｅ２と、で第２の発光ラインＬＥ２を構成する。図９において第２の発光ラインＬＥ２に属する各発光素子Ｅ２を白丸で示す。第１の発光ラインＬＥ１および第２の発光ラインＬＥのうち何れかの発光ラインＬＥに属する各発光素子Ｅは、各駆動部４０によって選択的に駆動される。
【００４９】
図９に示すように、仮想線ＬｃのＢ側に配置された素子群Ｇ（Ｇ２,Ｇ４,Ｇ６）に属する各発光素子Ｅは、仮想線ＬｃのＢ側に配置された第２の駆動部４０ｂに接続されるので、仮想線ＬｃのＡ側に配置された第１の駆動部４０ａから、仮想線ＬｃのＢ側に配置された素子群Ｇ（Ｇ２,Ｇ４,Ｇ６）に属する各発光素子Ｅへ配線する必要は無い。同様に、仮想線ＬｃのＡ側に配置された素子群（Ｇ１,Ｇ３,Ｇ５）に属する各発光素子Ｅは、仮想線ＬｃのＡ側に配置された第１の駆動部４０ａに接続されるので、仮想線ＬｃのＢ側に配置された第２の駆動部４０から、仮想線ＬｃのＡ側に配置された素子群（Ｇ１,Ｇ３,Ｇ５）に属する各発光素子Ｅへ配線する必要は無い。従って、各発光ラインＬＥに属する各発光素子Ｅ間のＸ方向における距離を、仮想線Ｌｃから見てＹ方向における何れか一方側のみに複数の駆動部４０を配置する態様に比べて小さくできる。
【００５０】
また、本実施形態においては、各発光ラインＬＥに属する各発光素子Ｅは６行の千鳥状に配置されるから、上述の各実施形態と比較して発光装置１０が像担持体に形成する画像（潜像）を高精細化することができる。
【００５１】
＜Ｅ：第５実施形態＞
図１０は、本実施形態に係る発光装置１０の平面図である。本実施形態においては各発光素子Ｅの配列のルールは第２実施形態と同様である。図１０に示すように、仮想線ＬｃのＡ側においては、ｎ個の第１の駆動部４０ａの各々に接続された素子群Ｇ１の発光素子Ｅ１および素子群Ｇ３の発光素子Ｅ２のうち仮想線Ｌｃから遠い位置に配置された素子群Ｇ１の発光素子Ｅ１の面積は、素子群Ｇ３の発光素子Ｅ２の面積より小さい。これにより、ｎ個の第１の駆動部４０ａの各々から素子群Ｇ３に属する各発光素子Ｅ２へと延びる配線を通すための幅Ｗ１を素子群Ｇ１に属する各発光素子Ｅ１間に十分に確保できる。
【００５２】
また、仮想線ＬｃのＢ側においては、ｎ個の第２の駆動部４０ｂの各々に接続された素子群Ｇ２の発光素子Ｅ２および素子群Ｇ４の発光素子Ｅ１のうち仮想線Ｌｃから遠い位置に配置された素子群Ｇ２の発光素子Ｅ２の面積は、素子群Ｇ４の発光素子Ｅ１の面積より小さい。これにより、ｎ個の第２の駆動部４０ｂの各々から素子群Ｇ４に属する各発光素子Ｅ１へと延びる配線を通すための幅Ｗ２を素子群Ｇ２に属する各発光素子Ｅ２間に十分に確保できる。その他の構成は第２実施形態と同じであるため、重複する部分については説明を省略する。
【００５３】
本実施形態の構成によれば、各素子群Ｇの各発光素子Ｅ間のピッチＰａを縮小した場合にも、各駆動部４０から仮想線Ｌｃに近い位置に配置された各発光素子Ｅへ延びる配線のスペースを、仮想線Ｌｃから遠い位置に配置された各発光素子Ｅ間に確保できるので、高解像度化を図る場合に格別に有効である。なお、本実施形態においては、第２実施形態の構成を引用して説明したが、これに限らず、仮想線ＬｃのＡ側においては、各第１の駆動部４０ａに接続された発光素子Ｅのうち仮想線Ｌｃから離れた位置に配置された発光素子Ｅの面積は他方の発光素子Ｅの面積より小さく、仮想線ＬｃのＢ側においては、各第２の駆動部４０ｂに接続された発光素子Ｅのうち仮想線Ｌｃから離れた位置に配置された発光素子Ｅの面積は他方の発光素子Ｅの面積より小さいという態様であればよい。
【００５４】
＜Ｆ：変形例＞
本発明は上述した各実施形態に限定されるものではなく、例えば、以下の変形が可能である。また、以下に示す変形例のうちの２以上の変形例を組み合わせることもできる。
【００５５】
（１）変形例１
上述の各実施形態においては、各発光素子Ｅと集光性レンズアレイ１１の各レンズとの位置関係については何ら言及していないが、集光性レンズアレイ１１の各レンズに対して以下のような条件を満たすように各発光素子Ｅを配置することができる。
【００５６】
図１１は、上述の第１実施形態に係る発光装置１０からの出射光が集光性レンズアレイ１１を透過して感光体ドラム１２の被露光面に到達する領域（露光スポット）を示す図である。同図の大円は集光性レンズアレイ１１の各レンズ１４の横断面を示す。図１１に示すように、集光性レンズアレイ１１は、Ｙ方向に沿って並列に配置された第１のレンズ群Ｌ１と第２のレンズ群Ｌ２とを含む。第１のレンズ群Ｌ１および第２のレンズ群Ｌ２は、Ｘ方向に沿って配置された複数のレンズ１４を各々が含む。レンズ１４は、中心軸から周縁に向かって離間した位置ほど屈折率が低くなるように横断面内にて屈折率が分布する円柱状の屈折率分布型レンズである。集光性レンズアレイ１１としては、例えば日本板硝子株式会社から入手可能なＳＬＡ（セルフォック・レンズ・アレイ）がある（セルフォック／ＳＥＬＦＯＣは日本板硝子株式会社の登録商標）。
【００５７】
図１１に示すように、素子群Ｇ１の各発光素子Ｅが配列する直線Ｌａ１は、第１のレンズ群Ｌ１の各レンズの中心を通り、素子群Ｇ２の各発光素子Ｅが配列する直線Ｌａ２は、第２のレンズ群Ｌ２の各レンズ１４の中心を通る。従って、第１のレンズ群Ｌ１の各レンズの中心線（Ｌａ１）、および、第２のレンズ群Ｌ２の各レンズ１４の中心線（Ｌａ２）、からのＹ方向における距離Ｄ（Ｄ１，Ｄ２）が等しい直線が仮想線Ｌｃとなる。図１１の構成においては、複数の対Ｐの各々において、仮想線Ｌｃと第１の発光ラインＬＥ１に属する発光素子Ｅ１との間のＹ方向における距離と、仮想線Ｌｃと第２の発光ラインＬＥ２に属する発光素子Ｅ２との間のＹ方向における距離と、は等しいから、図１１に示すように、第１の発光ラインＬＥ１による各露光スポットの形態（例えば形状やサイズなど）と、第２の発光ラインＬＥ２による各露光スポットの形態と、を均一化できる。これによって、第１の発光ラインＬＥ１が発光する場合と第２の発光ラインＬＥ２が発光する場合とで各露光スポットの形態がばらつくことを抑制できる。
【００５８】
図１２は、上述の第２実施形態に係る発光装置１０からの出射光が集光性レンズアレイ１１を透過して感光体ドラム１２の被露光面に到達する領域（露光スポット）を示す図である。いま、第１の発光ラインＬＥ１が発光する場合を想定する。図１２に示すように、素子群Ｇ１に属する各発光素子Ｅ１は、第１のレンズ群Ｌ１の各レンズ１４が配列する直線Ｌａ１近傍（線上）に位置するから、素子群Ｇ１が発光する場合における各露光スポットは整った形状（例えば正円形）となる。一方、素子群Ｇ４に属する各発光素子Ｅ１は、素子群Ｇ１に属する各発光素子Ｅよりも直線Ｌａ１から離れた位置（レンズ１４の周縁近傍）にあるため、素子群Ｇ４が発光する場合における各露光スポットは歪んだ形状（例えば楕円形）となる。そうすると、図１２に示すように、第１の発光ラインＬＥ１による各露光スポットは、正円形と楕円形とが交互に現れる形態となる。
【００５９】
次に、第２の発光ラインＬＥ２が発光する場合を想定する。図１２に示すように、素子群Ｇ２に属する各発光素子Ｅ２は、第１のレンズ群Ｌ２に属する各レンズ１４において、直線Ｌａ２近傍に位置するから、素子群Ｇ２が発光する場合における各露光スポットは整った形状となる。一方、素子群Ｇ３に属する各発光素子Ｅ２は、第２のレンズ群Ｌ２に属する各レンズ１４における端部近傍、すなわち、素子群Ｇ２に属する各発光素子Ｅよりも直線Ｌａ２から離れた位置にあるため、素子群Ｇ３が発光する場合における各露光スポットは歪んだ形状となる。そうすると、図１２に示すように、第２の発光ラインＬＥ２による各露光スポットは、第１の発光ラインＬＥ１が発光する場合と同様に正円形と楕円形とが交互に現れる形態となる。
【００６０】
図１２の構成は図１１の構成と同様に、複数の対Ｐの各々において、仮想線Ｌｃと第１の発光ラインＬＥ１に属する発光素子Ｅ１との間のＹ方向における距離と、仮想線Ｌｃと第２の発光ラインＬＥ２に属する発光素子Ｅ２との間のＹ方向における距離と、は等しいから、発光ラインＬＥ１による各露光スポットの形態と、発光ラインＬＥ２による各露光スポットの形態と、を均一化できる。すなわち、第１の発光ラインＬＥ１による各露光スポットおよび第２の発光ラインＬＥ２による各露光スポットの双方が、正円形と楕円形とを交互に混在させたものとなる。
【００６１】
要するに、複数の対Ｐの各々において、第１のレンズ群Ｌ１の各レンズの中心線、および、第２のレンズ群Ｌ２の各レンズ１４の中心線、からのＹ方向における距離Ｄが等しい仮想線Ｌｃを想定したときに、仮想線と第１の発光ラインＬＥ１に属する発光素子Ｅ１との間のＹ方向における距離と、仮想線Ｌｃと第２の発光ラインＬＥ２に属する発光素子Ｅ２との間のＹ方向における距離と、が等しい態様であればよい。
【００６２】
（２）変形例２
図１３は、上述の第４実施形態の構成において、第１のレンズ群Ｌ１の各レンズの中心線（Ｌａ１）と仮想線Ｌｃとの間のＹ方向における距離Ｄ１と、第２のレンズ群Ｌ２の各レンズ１４の中心線（Ｌａ２）と仮想線Ｌｃとの間のＹ方向における距離Ｄ２と、が等しい態様を示す図である。図１３の構成では、複数の対Ｐの各々において、仮想線Ｌｃと第１の発光ラインＬＥ１に属する発光素子Ｅ１との間のＹ方向における距離と、仮想線Ｌｃと第２の発光ラインＬＥ２に属する発光素子Ｅ２との間のＹ方向における距離と、は異なるが、第１の発光ラインＬＥ１に属する各発光素子Ｅ１および第２の発光ラインＬＥ２に属する各発光素子Ｅ２が、それぞれＹ方向に分散して配置される。これによって、第１の発光ラインＬＥ１による各露光スポットの形態と、第２の発光ラインＬＥ２による各露光スポットの形態と、を均一化できる。また、図１３の構成においては、第１の発光ラインＬＥ１に属する各発光素子Ｅ１と仮想線Ｌｃとの間のＹ方向における距離の総和と、第２の発光ラインＬＥ２に属する各発光素子Ｅ２と仮想線Ｌｃとの間のＹ方向における距離の総和が等しくなるように設定することもできる。
【００６３】
（３）変形例３
図１４は、上述の第３実施形態に係る発光装置１０からの出射光が集光性レンズアレイ１１を透過して感光体ドラム１２の被露光面に結像する像を示す図である。変形例１および変形例２と同様、第１のレンズ群Ｌ１の各レンズの中心線（Ｌａ１）と仮想線Ｌｃとの間のＹ方向における距離Ｄ１と、第２のレンズ群Ｌ２の各レンズ１４の中心線（Ｌａ２）と仮想線Ｌｃとの間のＹ方向における距離Ｄ２と、は等しい。いま、第１の発光ラインＬＥ１が発光する場合を想定する。図１４に示すように、素子群Ｇ１に属する各発光素子Ｅ１は、直線Ｌａ１の近傍（線上）に位置し、素子群Ｇ２に属する各発光素子Ｅ１は、直線Ｌａ２の近傍（線上）に位置するから、素子群Ｇ１および素子群Ｇ２が発光する場合における各々の露光スポットは整った形状（例えば正円形）となる。また、第１の発光ラインＬＥ１に属する各発光素子Ｅ１は、２行の千鳥状に配置されるから、画像（潜像）を高精細化できる。従って、第１の発光ラインＬＥ１が発光する場合には、像担持体の露光面に形成される各露光スポットを均一に整った形状としつつ画像（潜像）を高精細化できる。
【００６４】
次に、第２の発光ラインＬＥ２が発光する場合を想定する。素子群Ｇ３に属する各発光素子Ｅ２は、素子群Ｇ１に属する各発光素子Ｅ１よりも直線Ｌａ１から離れた位置（レンズ１４の周縁近傍）にあるため、素子群Ｇ３が発光する場合における各々の露光スポットは歪んだ形状（例えば楕円形）となる。また、素子群Ｇ４に属する各発光素子Ｅ２は、素子群Ｇ２に属する各発光素子Ｅ１よりも直線Ｌａ２から離れた位置（レンズ１４の周縁近傍）にあるため、素子群Ｇ４が発光する場合における各々の露光スポットは歪んだ形状（例えば楕円形）となる。そうすると、図１４に示すように、第２の発光ラインによる各露光スポットは、歪んだ形状となる。
【００６５】
図１４の構成においては、第１の発光ラインＬＥ１および第２の発光ラインＬＥ２のうち何れかの発光ラインＬＥが使用モードに応じて選択される。例えば、発光装置１０を利用した画像形成装置（例えばプリンタ）においては、カラーの自然画などを印刷する場合は高い解像度を必要としないが、文字や細かい図形などを印刷する場合は高い解像度が要求される。そのため、高い解像度が要求される印刷モードにおいては第１の発光ラインＬＥ１を使用し、高い解像度が要求されない印刷モードにおいては第２の発光ラインＬＥ２を使用することにより、それぞれのモードに適合した画像を形成できる。
【００６６】
また、図１４の構成は、上述の第５実施形態のように、仮想線ＬｃのＡ側においては、各第１の駆動部４０ａに接続された発光素子Ｅのうち仮想線Ｌｃから離れた位置に配置された発光素子Ｅの面積は他方の発光素子Ｅの面積より小さく、仮想線ＬｃのＢ側においては、各第２の駆動部４０ｂに接続された発光素子Ｅのうち仮想線Ｌｃから離れた位置に配置された発光素子Ｅの面積は他方の発光素子Ｅの面積より小さいという態様とすることもできる。
【００６７】
（４）変形例４
上述の各実施形態においては、発光部２０に配置される素子群Ｇが２行の場合、４行の場合、６行の場合についてそれぞれ説明したが、素子群の行数は任意である。すなわち、本発明の具体的な形態においては、仮想線ＬｃのＡ側には、第１の発光ラインＬＥ１のうち仮想線ＬｃのＡ側に配置された発光素子Ｅ１と第２の発光ラインＬＥのうち仮想線ＬｃのＡ側に配置された発光素子Ｅ２とが１つずつ接続された第１の駆動部４０ａが複数配置され、仮想線ＬｃのＢ側には、第１の発光ラインＬＥ１のうち仮想線ＬｃのＢ側に配置された発光素子Ｅ１と第２の発光ラインＬＥのうち仮想線ＬｃのＢ側に配置された発光素子Ｅ２とが１つずつ接続された第２の駆動部４０ｂが複数配置されるという態様であればよい。
【００６８】
第１実施形態のように、Ｘ方向に隣接する各対Ｐにおいて、第１の発光ラインＬＥ１の発光素子Ｅ１と第２の発光ラインＬＥ２の発光素子Ｅ２とのＹ方向における位置を同じにすることもできるし、第２乃至第５実施形態のように、Ｘ方向に隣接する各対Ｐにおいて、各発光素子ＥのＹ方向における位置を異ならせることもできる。また、第１実施形態ならびに第３乃至第５実施形態のように、Ｘ方向に隣接する各対Ｐにおいて、第１の発光ラインＬＥ１の発光素子Ｅ１と第２の発光ラインＬＥ２の発光素子Ｅ２との間のＹ方向における間隔Ｍが等しい態様とすることもできるし、第２実施形態のように、Ｘ方向に隣接する各対Ｐにおいて、間隔Ｍが異なる態様とすることもできる。
【００６９】
（５）変形例５
上述の各実施形態においては、発光素子Ｅの一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００７０】
＜Ｇ：電子機器＞
次に、図１５を参照して、本発明に係る電子機器のひとつの態様である画像形成装置について説明する。この画像形成装置は、ベルト中間転写体方式を利用したタンデム型のフルカラー画像形成装置である。
【００７１】
この画像形成装置では、各々が同様の構成である４個の発光装置１０Ｋ，１０Ｃ，１０Ｍ，１０Ｙが、各々の構成が同様である４個の感光体ドラム（像担持体）１１０Ｋ，１１０Ｃ，１１０Ｍ，１１０Ｙの像形成面１１０に対向する位置にそれぞれ配置されている。発光装置１０Ｋ，１０Ｃ，１０Ｍ，１０Ｙは、上記の各形態に係る発光装置１０と同様の構成である。
【００７２】
図１５に示すように、この画像形成装置には、駆動ローラ１２１と従動ローラ１２２とが設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００７３】
この中間転写ベルト１２０の周囲には、外周面に感光層を有する４個の感光体ドラム１１０Ｋ，１１０Ｃ，１１０Ｍ，１１０Ｙが互いに所定の間隔をおいて配置される。添字「Ｋ」，「Ｃ」，「Ｍ」，「Ｙ」はそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００７４】
各感光体ドラム１１０（Ｋ，Ｃ，Ｍ，Ｙ）の周囲には、コロナ帯電器１１１（Ｋ，Ｃ，Ｍ，Ｙ）と、発光装置１０（Ｋ，Ｃ，Ｍ，Ｙ）と、現像器１１４（Ｋ，Ｃ，Ｍ，Ｙ）とが配置されている。コロナ帯電器１１１（Ｋ，Ｃ，Ｍ，Ｙ）は、これに対応する感光体ドラム１１０（Ｋ，Ｃ，Ｍ，Ｙ）の像形成面１１０Ａ（外周面）を一様に帯電させる。発光装置１０（Ｋ，Ｃ，Ｍ，Ｙ）は、各感光体ドラムの帯電した像形成面１１０Ａに静電潜像を書き込む。各発光装置１０（Ｋ，Ｃ，Ｍ，Ｙ）においては、感光体ドラム１１０（Ｋ，Ｃ，Ｍ，Ｙ）の母線（主走査方向）に沿って複数の発光素子２０が配列する。静電潜像の書き込みは、複数の発光素子２０によって感光体ドラム１１０（Ｋ，Ｃ，Ｍ，Ｙ）に光を照射することにより行う。現像器１１４（Ｋ，Ｃ，Ｍ，Ｙ）は、静電潜像に現像剤としてのトナーを付着させることにより感光体ドラム１１０（Ｋ，Ｃ，Ｍ，Ｙ）に顕像（すなわち可視像）を形成する。
【００７５】
このような４色の単色顕像形成ステーションにより形成された黒、シアン、マゼンタ、イエローの各顕像は、中間転写ベルト１２０上に順次に一次転写されることによって中間転写ベルト１２０上で重ね合わされ、この結果としてフルカラーの顕像が形成される。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００７６】
最終的に画像を形成する対象（記録材）としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００７７】
次に、図１６を参照して、本発明に係る画像形成装置の他の形態について説明する。この画像形成装置は、ベルト中間転写体方式を利用したロータリ現像式のフルカラー画像形成装置である。図１５に示すように、感光体ドラム１１０の周囲には、コロナ帯電器１６８と、ロータリ式の現像ユニット１６１と、上記の実施形態に係る発光装置１０と、中間転写ベルト１６９とが設けられている。
【００７８】
コロナ帯電器１６８は、感光体ドラム１１０の外周面を一様に帯電させる。発光装置１０は、感光体ドラム１１０の帯電させられた像形成面（外周面）に静電潜像を書き込む。この発光装置１０においては、感光体ドラム１１０の母線（主走査方向）に沿って複数の発光素子３２が配列する。静電潜像の書き込みは、これらの発光素子３２から感光体ドラム１１０に光を照射することにより行う。
【００７９】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１１０に供給して、静電潜像に現像剤としてのトナーを付着させることにより感光体ドラム１１０に顕像（すなわち可視像）を形成する。
【００８０】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１１０から顕像を静電的に吸引することにより、感光体ドラム１１０と一次転写ローラ１６６の間を通過する中間転写ベルト１６９に顕像を転写する。
【００８１】
具体的には、感光体ドラム１１０の最初の１回転で、発光装置１０によりイエロー（Ｙ）像のための静電潜像が書き込まれて現像器１６３Ｙにより同色の顕像が形成され、さらに中間転写ベルト１６９に転写される。また、次の１回転で、発光装置１０Ａによりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１１０が４回転する間に、イエロー、シアン、マゼンタ、黒の顕像が中間転写ベルト１６９に順次に重ね合わせられ、この結果としてフルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上に形成する。
【００８２】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００８３】
以上のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再び定着器１７２で定着処理が行われた後、排紙ローラ対１７６でシートが排出される。
【００８４】
図１５および図１６に例示した画像形成装置は、ＯＬＥＤ素子を発光素子２０として採用した光源（露光手段）を利用しているので、レーザ走査光学系を用いた場合よりも装置が小型化される。なお、以上に例示した以外の電子写真方式の画像形成装置にも本発明の発光装置１０を採用することができる。例えば、中間転写ベルトを使用せずに感光体ドラムからシートに対して直接的に顕像を転写するタイプの画像形成装置や、モノクロの画像を形成する画像形成装置にも本発明に係る発光装置１０を応用することが可能である。
【００８５】
本発明に係る発光装置の用途は感光体の露光に限定されない。例えば、本発明の発光装置は、原稿などの読取対象に光を照射するライン型の光ヘッド（照明装置）としてスキャナなどの画像読取装置に採用される。この種の画像読取装置としては、スキャナ、複写機やファクシミリの読取部分、バーコードリーダ、あるいはＱＲコード（登録商標）のような二次元画像コードを読む二次元画像コードリーダがある。また、複数の発光素子（特に発光素子）を面状に配列した発光装置は、液晶パネルの背面側に配置されるバックライトユニットとしても採用される。また、複数の発光素子を行列状に配列した発光装置は各種の電子機器の表示装置として採用される。
【図面の簡単な説明】
【００８６】
【図１】第１実施形態に係る画像形成装置の部分的な構成を示す斜視図である。
【図２】同実施形態に係る発光装置の平面図である。
【図３】同実施形態に係る発光装置の発光部の平面図である。
【図４】同実施形態に係る駆動回路の回路図である。
【図５】対比例１に係る発光装置の発光部の平面図である。
【図６】第２実施形態に係る発光装置の平面図である。
【図７】対比例２に係る発光装置の発光部の平面図である。
【図８】第３実施形態に係る発光装置の平面図である。
【図９】第４実施形態に係る発光装置の平面図である。
【図１０】第５実施形態に係る発光装置の平面図である。
【図１１】変形例１に係る発光装置の平面図である。
【図１２】変形例１のバリエーションの例に係る発光装置の平面図である。
【図１３】変形例１のバリエーションの例に係る発光装置の平面図である。
【図１４】変形例２に係る発光装置の平面図である。
【図１５】本発明に係る電子機器の具体例（画像形成装置）を示す斜視図である。
【図１６】本発明に係る電子機器の具体例（画像形成装置）を示す斜視図である。
【符号の説明】
【００８７】
１０……発光装置、１１……集光性レンズアレイ、１４……レンズ、２０……発光部、３０……駆動回路、４０ａ……第１の駆動部、４０ｂ……第２の駆動部、Ｅ……発光素子、Ｇ（Ｇ１〜Ｇ６）……素子群、Ｌ１……第１レンズ群、Ｌ２……第２レンズ群、Ｌｃ……仮想線、ＬＥ１……第１の発光ライン、ＬＥ２……第２の発光ライン、Ｐ……対。
【図１】
2009151975.tif 000003
【図２】
2009151975.tif 000004
【図３】
2009151975.tif 000005
【図４】
2009151975.tif 000006
【図５】
2009151975.tif 000007
【図６】
2009151975.tif 000008
【図７】
2009151975.tif 000009
【図８】
2009151975.tif 000010
【図９】
2009151975.tif 000011
【図１０】
2009151975.tif 000012
【図１１】
2009151975.tif 000013
【図１２】
2009151975.tif 000014
【図１３】
2009151975.tif 000015
【図１４】
2009151975.tif 000016
【図１５】
2009151975.tif 000017
【図１６】
2009151975.tif 000018